(57)【要約】【課題】払い出し装置からオーバフローした遊技媒体を回収する回収タンクにあって、遊技機の設置島台にメダル自動循環補給装置を付設する場合にも対応することができる回収タンクを提供する。【解決手段】回収タンク５の底壁６５に開設した搬出口６７には、その前縁６７ａに回動自在にシャッター７が枢支されてこの搬出口６７を閉塞可能とするとともに、シャッター７を開放したときには、シャッター７の嵌合片７２が、回収タンク５の前壁６１に開設された係止角穴６１ａにて保持されて、シャッター７によって搬出口６７へと傾斜する傾斜面を形成するようにする。通常はシャッター７を閉じた状態で使用され、メダル自動循環補給装置が組み込まれた場合には開放して、オーバフローする遊技媒体１０を遊技媒体回収装置９へと導くようにする。【選択図】  図３
2005040572.tif 000002
【特許請求の範囲】
【請求項１】
払い出し装置からオーバフローした遊技媒体を回収する遊技機用の回収タンクであって、
前記回収タンクは、上方に開放された搬入口と、搬出口を形成した底壁を有するタンク本体と、
前記搬出口を閉塞するシャッターとを備えた
ことを、特徴とする遊技機用の回収タンク。
【請求項２】
請求項１項に記載の遊技機用の回収タンクにおいて、
前記シャッターは、一端に軸部を形成するとともに、他端に係合部を設け、前記軸部を搬出口の一方の縁部またはその近傍に回動可能に枢支し、他端を前記搬出口の他方の縁部またはその近傍に係合した
ことを特徴とする、遊技機用の回収タンク。
【請求項３】
請求項１項並びに請求項２項に記載の遊技機用の回収タンクにおいて、
前記シャッターは、前記係合部を、前記搬出口の縁部またはその近傍および前記タンク本体の周壁に係止することによって、前記搬出口を閉塞または開放状態に保持された
ことを特徴とする、遊技機用の回収タンク。
【請求項４】
請求項１項乃至請求項３項に記載の遊技機用の回収タンクにおいて、
前記シャッターは、搬出口側の表面に複数の離間した突条部を搬出口方向に延設するとともに、前記係合部を前記周壁上部に係合し、前記搬入口から搬出口に至る傾斜面を形成した
ことを特徴とする、遊技機用の回収タンク。
【請求項５】
請求項１項乃至請求項４項に記載の遊技機用の回収タンクにおいて、
前記搬出口を遊技機筐体の底板に形成した遊技媒体の排出口と連通させた
ことを特徴とする、遊技機用の回収タンク。
【請求項６】
請求項１項乃至請求項６項に記載の遊技機用の回収タンクにおいて、
前記回収タンクは、上部に係止部を形成した前壁と両側壁と後壁と底壁を有する長四角形状のタンク本体と、
前記底壁の略半分の範囲に形成された長四角形の搬出口と、
前記搬出口の前壁側縁部またはその近傍に設けられた軸受けと、
前記搬出口の後壁側縁部またはその近傍に設けられた係止壁と、
一端に軸部を形成するとともに、他端に係合部を設けたシャッターとを備え、
該シャッターの軸部を前記軸受けに回動可能に軸支し、前記係合部を係止部と係止壁のいずれか一方に係合することによって、前記シャッターで搬出口を閉塞あるいは放状態のいずれかに維持した
ことを特徴とする、遊技機用の回収タンク。
【請求項７】
請求項１乃至請求項６に記載の遊技機用の回収タンクにおいて、
前記タンク本体の側壁内側に前記傾斜面の裏面に当接する複数の突条部を離間して並設した
ことを特徴とする、遊技機用の回収タンク。
【請求項８】
請求項１乃至請求項７に記載の遊技機用の回収タンクにおいて、
前記底壁の略半分の範囲に形成された長四角形の搬出口を遊技機筐体の底板に形成した遊技媒体の排出口の略半分の範囲で連通させたさせるとともに該搬出口をシャッターにより閉塞可能にした
ことを特徴とする、遊技機用の回収タンク。
【請求項９】
請求項１乃至請求項８に記載の遊技機用の回収タンクにおいて、
前記タンク本体の側壁に長手方向に延設された複数の突壁を上下方向に離間して形成するとともに、
前記突壁をアウターケースに形成した係合片に係合し、前記突壁と係合片の係合位置により、回収タンクの高さを調整した
ことを特徴とする、遊技機用の回収タンク。
【請求項１０】
請求項１乃至請求項８に記載の遊技機用の回収タンクにおいて、
前記回収タンクは、前記タンク本体に形成した搬入口に水平方向位置調整機構を嵌合配設した
ことを特徴とする、遊技機用の回収タンク。
【発明の詳細な説明】
【技術分野】
【０００１】  本発明は、スロットマシンやパチスロ機等に代表される回胴式の遊技機に備えられた遊技媒体の回収タンクに関する。
【背景技術】
【０００２】  一般的に、回胴式の遊技機では、遊技者による遊技媒体（例えば、メダル）の賭数設定およびスタート操作があると、外周に図柄列が描かれた例えば三つのリール部を回転させて図柄の可変表示を開始し、その後のストップ操作に応じて各リール部の回転を停止させ、その停止時における表示図柄によって遊技結果を決定する。そして、各リール部の表示図柄が所定の組合せに並ぶと入賞となり、遊技者に対して、設定された賭数および入賞内容に応じた枚数の遊技媒体を払い出すようになっている。【０００３】  ところで、回胴式の遊技機において、設定された賭数および入賞内容に応じた枚数の遊技媒体の払い出しは、特許文献１の明細書に記載されている遊技機のように、ホッパーユニット１６（特許文献１中の符号）に予め貯留されたメダルとメダル投入口５３０（特許文献１中の符号）から投入されホッパーユニット１６（特許文献１中の符号）に貯留されたメダルによって払い出されている。
このホッパーユニット１６（特許文献１中の符号）は、メダルを貯留するホッパータンク１６１（特許文献１中の符号）と、該ホッパータンク１８１（特許文献１中の符号）の下部に位置してメダルを一列に整列させて放出するホッパー１８６（特許文献１中の符号）と、該ホッパー１８６（特許文献１中の符号）を回転駆動するモータ１８２（特許文献１中の符号）とが備えられ、支持台１８７（特許文献１中の符号）に固定されている。この支持台１８７は、収容箱３の内部に収納配置されている。このホッパーユニット１６（特許文献１中の符号）に隣設してオーバフロータンク１８（特許文献１中の符号）が配設されている。そして、ホッパータンク１８１（特許文献１中の符号）に設けられた、オーバフローレール１８４（特許文献１中の符号）とオーバフローレール１８４（特許文献１中の符号）とオーバフロー接続樋１８５によって、オーバフロータンク１８に臨んでいる。【０００４】  そして、払い出すメダルより、投入されるメダルの数が多いとホッパータンク１８１（特許文献１中の符号）に貯留されているメダルが増加し、遂にはホッパータンク１８１（特許文献１中の符号）から溢れる結果となる。この溢れたメタルは、オーバフローレール１８４（特許文献１中の符号）に連通するオーバフロー接続樋１８５（特許文献１中の符号）を介してオーバフロータンク１８（特許文献１中の符号）に貯留される。オーバフロータンク１８（特許文献１中の符号）に貯留されたメダルが一定量に達するとセンサー等で外部に通知し、関係者によりメダルが搬出される。この搬出方法は、島台に設置される自動循環補給装置によって行われる場合もある。この場合は、メダルはオーバフロータンク１８（特許文献１中の符号）の底面に形成された開口を介して搬出される。【０００５】  この出願の発明に関連する先行技術文献としては次のものがある。
【特許文献１】特開２０００１−２１２８２号公報（段落記号００９４乃至００９５並びに図２２）
【非特許文献１】  なし
【発明の開示】
【発明が解決しようとする課題】
【０００６】  しかしながら、従来の遊技機に備えられているオーバフロータンク１８（特許文献１中の符号）は、収容箱３（特許文献１中の符号）の右側板６（特許文献１中の符号）の内側であって底部枠板４４（特許文献１中の符号）の上部に載置されている。こオーバフロータンクク１８（特許文献１中の符号）は、上面が開放した縦深の直方体状に合成樹脂で成形されており、後壁には、一対のフルセンサ挿入穴１７５ａ、１７５ｂ（特許文献１中の符号）が開設されている。更に、底面には、楕円状の切欠溝１７８（特許文献１中の符号）が貫通形成され、複数箇所で切断部１７９（特許文献１中の符号）で接続されている。また、楕円の長辺の一方に沿って裏面からＶ字状溝１８０（特許文献１中の符号）が形成されて底面の肉厚が薄くなっている。このため、複数の切断部１７９（特許文献１中の符号）を切断してＶ字状溝１８０（特許文献１中の符号）から破断することにより、切欠溝１７８（特許文献１中の符号）によって囲まれる楕円板を取り除くことができ、オーバフロータンク１８（特許文献１中の符号）の底面に楕円形の開口を開設することができる。この開口は、メダル自動循環補給装置が設置島台に付設されている場合に、オーバフロータンク１８（特許文献１中の符号）に貯溜されるメダルを設置島台の内部に返却するためのものであり、メダル回収開口２３（特許文献１中の符号）に連通するものである。但し、メダル自動循環補給装置が設置島台に付設されていない場合には、オーバフロータンク１８（特許文献１中の符号）の底面を開設する必要はない。【０００７】  上記のような従来の技術にあっては、メダル自動循環補給装置が設置島台に付設された遊技機にオーバフロータンク１８を用いる場合には、オーバフロータンク１８の底面に必ず開口が必要であり、この開口は、一回穿設すると復活ができない。このため、このオーバフロータンク１８をメダル自動循環補給装置が付設されていない設備に設置された遊技機に用いることはできなかった。即ち、共有して用いることができなかった。更に、付設されたメダル自動循環補給装置が故障した場合には、既設のオーバフロータンク１８にメダルを一時貯溜して故障に対応することができず、底面に開口を開設していない別のオーバフロータンク１８と交換して対応する必要があった。【０００８】  本発明は、上記の問題を解決するためになされたものであり、その目的は、払い出し装置からオーバフローした遊技媒体を回収する遊技機用の回収タンクであって、前記回収タンクは、上方に開放された搬入口と、搬出口を形成した底壁を有するタンク本体と、前記搬出口を閉塞するシャッターとを備えることにより、遊技媒体回収装置を付設した設備に配設された遊技機と、付設されていない設備に配設された遊技機の両形式の遊技機に共有することができ、しかも、遊技媒体回収装置が故障した場合には、シャッターで搬出口を閉塞することによって、一時的に遊技媒体を回収タンク内に貯溜することができ、遊技機を停止することなく対応することができる遊技機用の回収タンクを提供するものである。
【課題を解決するための手段】
【０００９】  上記課題を解決するため、本発明においては、払い出し装置からオーバフローした遊技媒体を回収する遊技機用の回収タンクであって、上方に開放された搬入口と、搬出口を形成した底壁を有するタンク本体と、前記搬出口を閉塞するシャッターとを備えたものである。【００１０】  このことにより、遊技媒体回収装置を付設した設備に配設された遊技機に使用する際に、特に回収タンクに加工を施す必要がなく配設することができる。このため、遊技媒体回収装置を付設した設備に配設された回収タンクを、付設されていない設備に配設されている遊技機にも転用でき、回収タンクをいずれの遊技機にも共有することがでる。しかも遊技媒体回収装置が故障した場合にも搬出口が形成されていない新たな回収タンクを必要とすることなく対応することができ、遊技機を停止し、設備の稼働率を低下させることもない。【００１１】  次の発明は、前記シャッターは、一端に軸部を形成するとともに、他端に係合部を設け、前記軸部を搬出口の一方の縁部またはその近傍に回動可能に枢支し、他端を前記搬出口の他方の縁部またはその近傍に係合したものである。【００１２】  このことにより、シャッターは、枢支部分と先端部分との両端で支持された状態で搬出口を閉塞するため、遊技媒体の落下によって、シャッターが振動したり、開いたり、また、そのことが原因で騒音が発生すること、遊技媒体が回収タンクから飛びだし散乱すること等の不都合が生ずる恐れが少ない。【００１３】  更に、次の発明は、前記シャッターは、前記係合部を、前記搬出口の縁部またはその近傍および前記タンク本体の周壁に係止することによって、前記搬出口を閉塞または開放状態に保持されたものである。【００１４】  このことにより、シャッターは、枢支部分と先端部分との両端で支持された状態で搬出口を閉塞するとともに、開放状態でも枢支部分と先端部分の両端で支持されるため、遊技媒体の落下によって、シャッターが振動したり、開いたり、また、そのことが原因で騒音が発生すること、遊技媒体が飛びだし散乱すること等の不都合が生ずる恐れが少ないばかりか、開放状態では、遊技媒体を確実に搬出口に案内し、遊技媒体回収装置に搬出することができる。【００１５】  更に、次の発明は、前記シャッターは、搬出口側の表面に複数の離間した突条部を搬出口方向に延設するとともに、前記係合部を前記周壁上部に係合し、前記搬入口から搬出口に至る傾斜面を形成したものである。【００１６】  このことにより、払い出し装置から溢れ出した遊技媒体は、回収タンクに搬出され、シャッターの傾斜面上を低摩擦状態で滑降して、確実に回収タンク内に送り込まれる。【００１７】  更に、次の発明は、前記搬出口を遊技機筐体の底板に形成した遊技媒体の排出口と連通させたものである。【００１８】  このことにより、回収タンクを加工することなく、遊技媒体回収装置を付設した設備に配置された遊技機に転用することができる。【００１９】  更に、次の発明は、前記回収タンクは、上部に係止部を形成した前壁と両側壁と後壁と底壁を有する長四角形状のタンク本体と、前記底壁の略半分の範囲に形成された長四角形の搬出口と、前記搬出口の前壁側縁部またはその近傍に設けられた軸受と、��記搬出口の後壁側縁部またはその近傍に設けられた係止壁と、一端に軸部を形成するとともに、他端に係合部を設けたシャッターとを備え、該シャッターの軸部を前記軸受に回動可能に軸支し、前記係合部を係止部と係止壁のいずれか一方に係合することによって、前記シャッターで搬出口を閉塞あるいは開放状態のいずれかに維持したものである。【００２０】  このことにより、筐体の隅に効率的に配置することができ、しかも搬出口が底壁の略半分の範囲に形成されているので、回収タンクを前後に入れ替えることによって、回収ホッパーの位置が前方に設定されている遊技媒体回収装置を設置した設備に配置された遊技機にも転用することができる。【００２１】  更に、次の発明は、前記タンク本体の側壁内側に前記傾斜面の裏面に当接する複数の突条部を離間して並設したものである。【００２２】  このことにより、突条部が傾斜して保持されているシャッターの裏面を支持し、払い出し装置から搬出された遊技媒体がシャッター上に落下する際に生ずる衝撃からシャッターが損傷すること、また振動することを防止している。【００２３】  前記底壁の略半分の範囲に形成された長四角形の搬出口を遊技機筐体の底板に形成した遊技媒体の排出口の略半分の範囲で連通させるととも該搬出口をシャッターにより閉塞可能にしたものである。【００２４】  このことにより、遊技機が、膳板に形成されている遊技媒体回収装置との回収口に対して、前後にずれて配設された場合には、回収タンクを取り出し、半回転して再度、挿入することによって搬出口と回収口を合致させることができ、遊技媒体を回収タンクを介して遊技媒体回収装置にスムースに搬入することができる。また、遊技媒体回収装置が故障した場合には、回収タンクのシャッターを閉じて、内部に遊技媒体を貯留しておき、その後、関係者が回収タンクを直接回収して処理することができる。【００２５】  更に、次の発明は、前記タンク本体の外側壁に長手方向に延設された複数の突壁を上下方向に離間して形成するとともに、前記突壁をアウターケースに形成した係合片に係合し、前記突壁と係合片の係合位置により、回収タンクの高さを調整したものである。【００２６】  このことにより、払い出し装置と回収タンクの高さ（言い換えれば、筐体に対しする払い出し装置の高さ）が異なる遊技機に対しても同じ回収タンクを最適な高さで配置することができる。【００２７】  更に、次の発明は、前記回収タンクは、前記タンク本体に形成した搬入口に水平方向位置調整機構を嵌合配設したものである。【００２８】  このことにより、払い出し装置に対して、回収タンクの位置が筐体の前後方向にずれた場合にも、回収タンクの位置をずらせることなく遊技媒体を回収タンクに搬入することができる。
【発明の効果】
【００２９】  以上のように、本発明によれば、払い出し装置からオーバフローした遊技媒体を回収する遊技機用の回収タンクであって、該回収タンクは、上方が開放し、底壁を有するタンク本体と、前記底壁の一部に形成された搬出口と、前記搬出口を閉塞するシャッターとを備えたもので、この回収タンクを遊技媒体回収装置が付設されている設備に配設された遊技機に使用する際に、特に回収タンクに加工を施す必要がなく配設することができる。このように、遊技媒体回収装置を付設した設備に配設された回収タンクをそのまま遊技媒体回収装置が付設されていない設備の遊技機にも転用できる。即ち、一つの回収タンクをいずれの遊技機にも共有することがでる。しかも遊技媒体回収装置が故障した場合にも搬出口が形成されていない新たな回収タンクを必要とすることなく対応することができ、遊技機を停止し、設備の稼働率を低下させることもない。
【発明を実施するための最良の形態】
【００３０】  以下、本発明の好ましい実施形態を、図面に基づいて説明する。図１は、本発明の遊技機における各装置の配置を示した正面図、図２は、本発明の遊技機における主要構成部品の配置を示した側面概略図、図３は、本発明の回収タンクの実施例１を示した斜視図、図４乃至図６は、タンク本体を示した上面、正面、側面図、図７乃至図９は、シャッターを示した正面、上面、側面図、図１０は、遊技機の底板に形成した排出口と遊技媒体回収装置の回収口の位置関係を示した説明図、図１１乃至図１２は、実施例２、実施例３を示した図であって、図１１は、回収タンクを示した分解斜視図、図１２は、筐体への配置を示した説明図、図１３は、実施例３を示した正面図である。【００３１】  本発明の回収タンク５（タンク本体６、シャッター７）を備えた遊技機（例えば、スロットマシン）１００は、筐体１と筐体１の前面開放側に開閉可能に枢支された前面扉２と、筐体１に収納された遊技装置（３１，３２，３３等）と、払い出し装置４とを備えている。【００３２】  筐体１は、図１、図２に示すように底板１１と左右側板１２，１３と天板１４と背板１５を組立て、前面を開放した縦長の長矩形状に形成されている。（以下、天地、上下、左右、前後とは、遊技機の使用状態を基準として述べる）そして、筐体１の背板１５内側上部には、主制御装置１６が取り付けられ、その下方（筐体１の上下方向ほぼ中間）には遊技装置（リール３１，リールボックス３２等）がリールユニット支持枠３３を介して支持されている。また、下側には、払い出し装置４、回収タンク５が収納されている。（尚、筐体１を上部筐体と下部筐体に分割或いは各々独立して形成し、その各々に遊技装置（リール３１，リールボックス３２等）と、払い出し装置４、回収タンク５を収納し、遊技機１００として組立てることも可能である。そして、底板１１の右端には遊技機１００を並設した島と島の間に備え付けられた遊技媒体回収装置９に遊技媒体１０を搬出するための排出口１１ａが穿設されている。【００３３】  図２に示すように筐体１の前面開放側には、前面扉２が開閉可能に枢支されている。この前面扉２は、前面飾り枠２１と、該前面飾り枠２１の下側に設けられたタイトルパネル２２と、その上側に設けられた遊技パネル２３と、上端に配置された表示ランプ２４と、高さ方向の略中間右側に設けられた遊技媒体投入口２５と、下端に設けられた遊技媒体の受皿２６とを備えている。【００３４】  遊技装置は、筐体１の内部に配設され、リール３１と、リールボックス３２と、図示しないが操作ボタン、遊技媒体１０の投入ボタン等遊技に必要装置を備えており、前述のリール３１と、リールボックス３２はリールユニット支持枠３３を介して背板１５の筐体１内側に取り付けられている。【００３５】  払い出し装置４と、回収タンク５は、筐体１の下側略半分のスペースに配設されている。
以下、各構成について詳述する。
【実施例１】
【００３６】  払い出し装置４は、貯溜タンク４１と、ホッパーユニット４２と、ホッパーユニット４２を駆動するモータ４３とを備え、それらを取付けブラケット４４に組み付け、筐体１の底板１１の略中央に固定された係合レール１１ｂにスライド嵌合している。この貯溜タンク４１には、払い出し用の遊技媒体や投入された遊技媒体１０が貯溜されており、貯溜された遊技媒体１０が増加して、貯溜タンク４１から溢れた場合には貯溜タンク４１に設けられたノズル４４を経て回収タンク５に搬出される。【００３７】  回収タンク５は、図３乃至図９に示すように、タンク本体６と、このタンク本体６に取り付けられたシャッター７とを備え、通常は、タンク本体６の搬入口６６が払い出し装置４に設けられたノズル４５の下側に臨むようにして、筐体１の下部右隅に配設されている。【００３８】  タンク本体６は、前壁６１、後壁６２と左右の側壁６３、６４と底壁６５を有する長方形の箱状に形成され、上側開放した遊技媒体１０の搬入口６６と、底壁６５の略半分の範囲に形成された遊技媒体１０の搬出口６７を備えている。そして、前壁６１の上部には、一対の係止角穴６１ａが、側壁６３、６４には嵌合孔６３ｇ、が並列に形成されている。更に、この側壁６３，６４には、底壁６５の部分に至る突条部６９がタンク本体６の長手方向に複数本（実施例では、４本）離間して設けられている。この突条部６９の高さは、後述するシャッター７が開放された状態で当接するように搬出口６７方向になるに従って低くなるように形成されている。【００３９】  この搬出口６７は、前縁６７ａと左右の両側縁６７ｂ、６７ｃと後縁６７ｄを有した長四角形枠状に開設され、左右の両側縁６７ｂ、６７ｃの前縁６７ａ側には、軸受孔６７ｅが穿設されている。【００４０】  また、底壁６５には、搬出口６７の後縁６７ｄと後壁６２との間に嵌合軸受部６８が形成されている。この嵌合軸受部６８は、後壁６２の両隅に三角形状に凸設した支持壁６８ａと中央部に凸設した三角状のブロック壁６８ｂを備えている。そして、支持壁６８ａとブロック壁６８ｂとの間には、嵌合凹部６８ｃが形成され、各々対向する立ち壁６８ｄには、軸受孔６８ｅが穿設されている。【００４１】  シャッター７は、搬出口６７を閉塞する平板上のプレート７１と、前縁の両側端部に（搬出口６７を閉塞した状態でタンク本体６の前壁６１側）に側方に突出した枢支軸７５を有する弾性片７３が形成されている。この弾性片７３は、近設して形成された切り欠き７４によって撓むように構成されている。一方反対側の後縁には、両側端に形成された切り欠き角部７８と中央に形成された凹部７７との間に突設された一対の嵌合片７２が形成されている。この嵌合片７２の先端外側には、係合凸起７６が突設されている。そして、プレート７１の下側表面（搬出口６７を閉塞した状態で）に短手方向に離間した複数の突条壁７９が前縁から後縁方向に延設されている。【００４２】  前述のシャッター７は、タンク本体６に形成された搬出口６７の両側縁６７ｂ、６７ｃに穿設された軸受孔６７ｅに枢支軸７５を嵌合することによって、タンク本体６に回動可能に軸止される。即ち、シャッター６７が搬出口６７を閉塞した状態では、シャッタ���７の係合凸起７６がタンク本体６の底壁６５に形成された嵌合軸受部６８に穿設された、軸受孔６８ｅに係合する。反対に、搬出口６７を開放した状態では、嵌合片７２をタンク本体６の前壁６１上部に形成された係合角穴６１ａ、６１ｂに嵌合し、係合凸起７６で該係合角穴６１ａ、６１ｂに係止される。従って、搬出口６７を開放した状態で、シャッター７は、前壁６１から搬出口６７に至る傾斜面を形成する。この傾斜面には、複数の突条壁７９が露呈している。そして、この傾斜面の裏面には、側壁６３，６４に形成された突条部６９が当接している。遊技媒体１０は、この突条部６９の上を低摩擦で滑降し、搬出口６７から遊技媒体回収装置９方向に搬出される。【００４３】  本実施例では、回収タンク５が遊技媒体回収装置９を付設した設備に配設されている遊技機１００に用いた場合を示している。この例では、通常、シャッター７は、図３に示すように、搬出口６７を開放した状態に設定されていて、遊技媒体回収装置９に不都合が生じ、遊技媒体１０が搬出できない事態が生じた場合に、搬出口６７を閉塞し、回収タンク５の内部に遊技媒体１０を貯留する。この貯留された遊技媒体１０は、関係者が処理する。【００４４】  この回収タンク５は、遊技媒体回収装置９を備えていない遊技設備では、シャッター７を閉じた状態で回収タンク５として単独で使用することもできる。この時には、前壁６１に形成した係止角穴６１ａには、シャッター７が係止されていないので、この係止角穴６１ａに筐体１側に配設された満杯センサーを挿入し、回収タンク５に貯溜された遊技媒体１０の貯溜状態を監視することができる。また、図示しないが後壁６２側にこの係止角穴６１ａを形成することにより、同様の機能を得ることができる。この場合には、遊技媒体回収装置９を備えた遊技機にも採用でき、遊技媒体回収装置９等に不都合が生じ、本来貯溜されることのない回収タンク５に遊技媒体１０が貯溜されるとその状態をセンサーがキャッチし、関係者に注意を喚起する。【００４５】  ここで、実施例１に示した遊技媒体回収装置９を付設した設備に配設されている遊技機１００を用いて、筐体１の底板１１に形成された排出口１１ａと、筐体１を載置する膳板９３に形成した回収口９２と、遊技媒体回収装置９に遊技媒体１０を搬出するための回収シュート９１の間口９１ａとの関係を図１０で説明する。【００４６】  一般的に遊技媒体回収装置９は、遊技機１００を並設した島と島の間に配設されている。そして、遊技媒体回収装置９と遊技機１００との間は、回収シュート９１によって連絡されている。そして、この回収シュート９１の間口９１ａは、遊技機１００の長手方向（遊技機１００が並設されている方向）に長い四角形状に形成され、その間口９１ａに対応して形成された膳板９３の回収口９２も、この回収シュート９１の間口同ように遊技機１００の長手方向に長い楕円形に形成されている。これは、遊技機１００の入れ替えの際等に遊技機１００が並設方向に多少ずれて（機種により幅が若干異なる場合がある）も遊技機１００から遊技媒体回収装置９に遊技媒体１０が搬出できるようにするためである。【００４７】  ところが、回収タンク５は、他の装置の関係、或いは、回収タンク５の取り扱い（出し入れ）の関係から筐体１の右隅に短手（前後）方向に沿うように配設されている。このため、回収タンク５は、遊技機に対して前後方向に長方形状に形成されている。従って、筐体１の底板１１に形成された排出口１１ａも、回収タンク５に合せて遊技機に対して前後方向に長方形状に形成されている。【００４８】  そして、回収タンク５は、筐体１の底板１１上に底壁６５の略半分割した範囲に形成された排出口６７が、底板１１に形成された排出口１１ａの背板１５側の略半分の部分の位置に重なるようにして配設される。従って、底板１１に形成された排出口１１ａの残りの略半分は、回収タンク５の底壁６５で覆われている。即ち、常時回収タンク５に形成された排出口６７と膳板９３の回収口９２は、排出口１１ａの略半分の範囲で連通している。【００４９】  このため、遊技機１００や島の配置の変更に伴って、遊技機１００の位置や遊技媒体回収装置９の位置が前方に移動した場合、当然、膳板９３に形成した回収口９２も前方に移動し、回収口９２がタンク本体６の底壁６１の盲部分に入り込み、回収口９２と排出口６７が連通しない状態になる。このような事態が生じた場合には、タンク本体６を引き出し、前後を逆にして再度筐体１の内部に配設すれば、排出口６７と回収口９２とが連通する。【００５０】  次に、回収タンク５に払い出し装置４との垂直方向位置調整機構８１と水平方向位置調整機構８５を設けた実施例について説明する。
【実施例２】
【００５１】  図１１は、垂直方向位置調整機構８１を設けた回収タンク５を示したもので、この垂直方向位置調整機構８１は、回収タンク５のタンク本体６の両側壁６３，６４に形成された上下方向に離隔した複数の突状壁（この実施態様では、６３ａ〜６３ｆの６本）とアウターケース８２との間に設けられている。【００５２】  アウターケース８２は、開閉扉８２ａ、後壁８２ｂと両側壁８２ｃ、８２ｄと底壁８２ｅを有し、回収タンク５の外形より若干大きめの長方形の箱状に形成され、タンク本体６を抱持する。そして、上側にタンク本体６の係止口８２ｆを、下側に遊技媒体１０を搬出するための底壁８２ｅのほヾ全域に亘る範囲で形成された搬出口８２ｇを備えている。この搬出口８２ｇは、島の下側に設けられている遊技媒体回収装置９に連通されている。【００５３】  開閉扉８２ａ、後壁８２ｂの下縁には、外側に延出した取付け片８２ｈ（後壁８２ｂ側は図示しない）が各々形成され、更に、アウターケース８２右側の側壁８２ｄの上縁には、遊技媒体１０の衝止片８２ｊが上方に延出して形成されている。一方側壁８２ｃの上縁には内側に折曲された係合片８２ｋが長手方向に沿って形成され、側壁８２ｄには、前述の係合片８２ｋに対応する係合片８２が内側に打ち抜き折曲されている。また、開閉扉８２ａは、下縁を蝶番８２ｎで外側に開閉可能に枢支され、常時（タンク本体６の収納時）は、蝶番８２ｎのトーションスプリング（図示しない）によって、タンク本体６の前壁６１を押圧し、開放した状態時にタンク本体６の挿入口８２ｍを形成するように構成されている。【００５４】  次に、垂直方向位置調整装置８１の使用状態について説明する。この垂直方向位置調整装置８１は、後述する水平方向位置調整機構８５との組合せ（特別な条件下での使用）により構成されている。【００５５】  垂直方向位置調整機構８１は、タンク本体６の両側壁６３，６４形成された上下方向に離隔した複数の突状壁（この実施態様では、６３ａ〜６３ｆの６本）と、アウターケース８２の側壁８２ｃ、８２ｄに形成された係合片８２ｋと係合片８２との係合関係によるものである。【００５６】  即ち、垂直方向の高さを最も低い位置に調整する場合は、図１１に示すように、アウターケース８２の開閉扉８２ａをトーションスプリング（図示しない）の押圧力に抗して指等で外側の押し広げ、タンク本体６の挿入口８２ｍを開設する。次に、タンク本体６に形成した突状壁の最上段の突状壁６３ａと次の突状壁６３ｂの間に形成された凹部をアウターケース８２の係合片８１ｋと係合片８２に嵌合し、その状態でタンク本体６をアウターケース８２内にスライド収納させる。これにより、突状壁６３ａと係合片８２ｋと係合片８２との間で係合関係が成立する。そして、収納が完了すると開閉扉８２ａが復帰しタンク本体６の前壁６１を押圧し、タンク本体６の離脱を防止している。このように、６本の突状壁（６３ａ〜６３ｆ）で５段階の高さに調整されている。尚、突状壁の数によって高さを任意の段階に設定することができるのは言うまでもない。【００５７】  尚、本発明では、その垂直方向位置調整機構を突状壁と係合片で行っているが、他に、タンク本体６側に弾性体を、アウターケース側に���合凹部（または、その逆）を設け、それらを嵌合することによって、係合関係を構成する等の構成も含まれることは言うまでもない。
【実施例３】
【００５８】  次に、図１３を用いて水平方向位置調整機構８５について説明する。水平方向位置調整機構８５は、略箱舟形状に形成され、下部に嵌合枠８６を形成するとともに、上部に嵌合枠８６より広い間口を有する周壁８７を設けている。そして、嵌合枠８６をタンク本体６の搬入口６５に嵌合することによって、タンク本体６上に載置される。この周壁８７には、嵌合枠８６に対して、前方側と左側（図示しない）に張り出した前方受け部８８と側方受け部（図示しない）を形成し、該前方受け部８８と側方受け部（図示しない）と嵌合枠８６の間を傾斜面で接続して拡張部分を形成している。この前方受け部８８と側方受け部（図示しない）とによって、タンク本体６の搬入口６５から外れた位置に搬出される遊技媒体１０をタンク本体６内に搬入する。言い換えれば、その範囲内で、タンク本体６の移動が可能となり水平方向の位置調整が可能となる。【００５９】  嵌合枠８６には、両側壁の中央部分に、シャッター７が回動したときにシャッター７が干渉しないように形成した凹部８６ａと、両端（前方、後方側）に切り欠き８６ｂを介して形成された弾性係合片８６ｃが設けられている。また、嵌合枠８６の周囲には係止片８６ｄが突設されている。（本実施態様では、両側に各々３個所、両端に各々２箇所都合１０箇所設けられている）【００６０】  上記のように構成された水平方向位置調整機構８５は、嵌合枠８６をタンク本体６の搬入口６６に嵌合し、係止片８６ｄをタンク本体６の上縁に当接させ、嵌合枠８６に形成した弾性係合片８６ｃをタンク本体６の側壁６３、６４に形成された嵌合孔６３ｇ，に係止させることによって取り付けられる。【００６１】  水平方向位置調整機構８５をタンク本体６の搬入口６６に嵌合した状態では、当然のことながら水平方向位置調整機構８５の周壁８７の前方側と左側に張り出した部分が水平方向の位置調整範囲となる。したがって、この範囲で払い出し装置４のノズル４５に対してタンク本体６を水平方向に移動し、最適位置に回収タンク５を配設することができる。【００６２】  本実施態様では、水平方向位置調整機構８５と垂直方向位置調整機構８１を設けた回収タンク５とを組み合わしたが、特に、垂直方向位置調整機構８１を備えていない回収タンク５と組み合せることも可能である。【００６３】  また、この水平方向位置調整機構８５タンク本体６の上縁に取り付けることによって、周壁８７の高さの分、垂直方向の調整範囲をより大きくとることができる。【００６４】  次に、払い出し装置４と回収タンク５と垂直方向位置調整機構８１並びに島の下方に設けられた遊技媒体回収装置９との間における遊技媒体１０の流れを説明する。【００６５】  図１２は、払い出し装置４に設けたノズル４５と回収タンク５との高さの違いが大きいため、回収タンク５の高さを三段階目に設定した場合における遊技媒体１０の流れを示したものである。【００６６】  払い出し装置４の貯留タンク４１に貯留された遊技媒体１０は、貯溜タンク４１に一定量貯留されるとそれ以上の遊技媒体１０をノズル４５から回収タンク５内に搬出する。この時に、回収タンク５の搬入口６５はノズル４５の近傍に位置するように垂直方向の位置が調整されているため、遊技媒体１０は、回収タンク５の外に散乱ことなくタンク本体６内に搬入される。この搬入された遊技媒体１０は、常時は開放されている搬出口６７からアウターケース８２の内部に搬出され、搬出口８２ｇより島の下に設けられている遊技媒体回収装置９に搬出される。【００６７】  回収タンク５の搬出口６７からアウターケース８２の内部に搬出された遊技媒体１０は、アウターケース８２の開閉扉８２ａに衝止され、外に散乱ことなく搬出口８２ｇに導かれる。この時、開閉扉８２ａは、トーションスプリング（図示しない）で付勢され、遊技媒体１０を緩衝的に受け止めるため遊技媒体１０は大きく弾くことなく搬出口８２ｇに導かれる。【００６８】  尚、図１２に示されている回収タンク５と垂直方向位置調整機構８１に代えて図１０に示して水平方向位置調整貴行５を回収タンク５と組み合せることも可能である。この時には、回収タンク５が払い出し装置４に対して左右、前後方向に移動した状態にも対応することができる。【００６９】  このように、いずれの実施態ようにおいても、遊技媒体１０が回収タンク５１の外側に散乱し、他の装置に影響を与えることはない。【００７０】  尚、本発明は、垂直方向位置調整機構８１を設けた回収タンク５に水平方向位置調整機構８５を組み合せた実施態ようについて説明したが、垂直方向位置調整機構８１を備えていない回収タンク５に水平方向位置調整機構８５を組み合せることも可能である。また、遊技媒体回収装置９に直接遊技媒体１０を搬出させる構成とは別に回収タンク５に遊技媒体１０を貯留し、関係者がその都度回収する形式の遊技機に用いることもできる。（この時は、回収タンク５のシャッター７は閉塞状態にされる。）
【産業上の利用可能性】  本発明は、スロットマシンやパチスロ機等に代表される回胴式の遊技機用の回収タンクに関するものであるが、ゲームセンター等に設置されている遊戯機等にも利用することができる。
【図面の簡単な説明】
【００７１】
【図１】本発明の回収タンクを備えた遊技機における各装置の配置を示した正面図である。
【図２】本発明の回収タンクを備えた遊技機における主要構成部品の配置を示した側面概略図である。
【図３】本発明の回収タンクを示した斜視図である。
【図４】本発明の回収タンクのタンク本体を示した上面図である。
【図５】本発明の回収タンクのタンク本体を示した正面図である。
【図６】本発明の回収タンクのタンク本体を示した側面図である。
【図７】本発明の回収タンクのシャッターを示した正面図である。
【図８】本発明の回収タンクのシャッターを示した上面図である。
【図９】本発明の回収タンクのシャッターを示した側面図である。
【図１０】本発明のアウターケースに形成した搬出口と遊技媒体回収装置の回収口の位置関係を示した説明図である。
【図１１】本発明の回収タンクの実施例２を示した分解斜視図である。
【図１２】本発明の回収タンクの実施例２を遊技機筐体に配置した説明図である。
【図１３】本発明の回収タンクの実施例３を示した正面図である。
【符号の説明】
【００７２】  １００…遊技機
１…筐体
２…前扉
３１…リール
３２…リールボックス
３３…リールボックス支持枠
４…払い出し装置
４１…貯溜タンク
４５…ノズル
５…回収タンク
６…タンク本体
６９…突条部
７…シャッター
７９…突条壁
８１…垂直方向位置調整気候
８２…アウターケース
８５…水平方向位置調整装置
９…遊技媒体回収装置
【図１】
2005040572.tif 000003
【図２】
2005040572.tif 000004
【図３】
2005040572.tif 000005
【図４】
2005040572.tif 000006
【図５】
2005040572.tif 000007
【図６】
2005040572.tif 000008
【図７】
2005040572.tif 000009
【図８】
2005040572.tif 000010
【図９】
2005040572.tif 000011
【図１０】
2005040572.tif 000012
【図１１】
2005040572.tif 000013
【図１２】
2005040572.tif 000014
【図１３】
2005040572.tif 000015
【手続補正書】
【提出日】平成16年2月9日(2004.2.9)
【手続補正１】
【補正対象書類名】特許請求の範囲
【補正対象項目名】全文
【補正方法】変更
【補正の内容】
【特許請求の範囲】
【請求項１】
払い出し装置からオーバフローした遊技媒体を回収する遊技機用の回収タンクであって、
前記回収タンクは、上方に開放された搬入口と、搬出口を形成した底壁とを有するタンク本体と、
前記搬出口を閉塞するシャッターとを備えたことを特徴とする遊技機用の回収タンク。
【請求項２】
請求項１に記載の遊技機用の回収タンクにおいて、
前記シャッターは、一端に軸部を形成するとともに、他端に係合部を設け、前記軸部を搬出口の一方の縁部またはその近傍に回動可能に枢支し、他端を前記搬出口の他方の縁部またはその近傍に係合させたことを特徴とする遊技機用の回収タンク。
【請求項３】
請求項１または請求項２に記載の遊技機用の回収タンクにおいて、
前記シャッターは、前記係合部を前記搬出口の縁部またはその近傍、または前記タンク本体の周壁に係止することによって、前記搬出口を閉塞または開放状態に保持されたことを特徴とする遊技機用の回収タンク。
【請求項４】
請求項１乃至請求項３のいずれか１項に記載の遊技機用の回収タンクにおいて、
前記シャッターは、該シャッターを開放した状態においたときに上面となる表面に複数の離間した突条部を搬出口方向に延設するとともに、前記係合部を前記周壁上部に係合し、前記搬入口から搬出口に至る傾斜面を形成したことを特徴とする遊技機用の回収タンク。
【請求項５】
請求項１乃至請求項４のいずれか１項に記載の遊技機用の回収タンクにおいて、
前記搬出口を遊技機筐体の底板に形成した遊技媒体の排出口と連通させたことを特徴とする遊技機用の回収タンク。
【請求項６】
請求項１乃至請求項６のいずれか１項に記載の遊技機用の回収タンクにおいて、
前記回収タンクは、上部に係止部を形成した前壁と両側壁と後壁と底壁とを有する長四角形状のタンク本体と、
前記底壁の略半分の範囲に形成された長四角形の搬出口と、
前記搬出口の前壁側縁部またはその近傍に設けられた軸受と、
前記搬出口の後壁側縁部またはその近傍に設けられた係止壁と、
一端に軸部を形成するとともに他端に係合部を設けたシャッターとを備え、
該シャッターの軸部を前記軸受に回動可能に軸支し、前記係合部を係止部と係止壁のいずれか一方に係合することによって、前記シャッターで搬出口を閉塞あるいは開放状態のいずれかに保持されることを特徴とする遊技機用の回収タンク。
【請求項７】
請求項１乃至請求項６のいずれか１項に記載の遊技機用の回収タンクにおいて、
前記シャッターを開放したときに、前記シャッターの裏面に当接する複数の突条部を前記タンク本体の側壁内側に離間して並設したことを特徴とする遊技機用の回収タンク。
【請求項８】
請求項１乃至請求項７のいずれか１項に記載の遊技機用の回収タンクにおいて、
前記底壁の略半分の範囲に形成された長四角形の搬出口を遊技機筐体の底板に形成した遊技媒体の排出口の略半分の範囲で連通させたさせるとともに該搬出口をシャッターにより閉塞可能にしたことを特徴とする遊技機用の回収タンク。
【請求項９】
請求項１乃至請求項８のいずれか１項に記載の遊技機用の回収タンクにおいて、
前記回収タンクは、前記タンク本体に形成した搬入口に水平方向位置調整機構を嵌合配設したことを特徴とする遊技機用の回収タンク。
【手続補正２】
【補正対象書類名】明細書
【補正対象項目名】全文
【補正方法】変更
【補正の内容】
【発明の詳細な説明】
【技術分野】
【０００１】  本発明は、スロットマシンやパチスロ機等に代表される回胴式の遊技機に備えられた遊技媒体の回収タンクに関する。
【背景技術】
【０００２】  一般的に、回胴式の遊技機では、遊技者による遊技媒体（例えば、メダル）の賭数設定およびスタート操作があると、外周に図柄列が描かれた例えば三つのリール部を回転させて図柄の可変表示を開始し、その後のストップ操作に応じて各リール部の回転を停止させ、その停止時における表示図柄によって遊技結果を決定する。そして、各リール部の表示図柄が所定の組合せに並ぶと入賞となり、遊技者に対して、設定された賭数および入賞内容に応じた枚数の遊技媒体を払い出すようになっている。【０００３】  ところで、回胴式の遊技機において、設定された賭数および入賞内容に応じた枚数の遊技媒体の払い出しは、特許文献１の明細書に記載されている遊技機のように、ホッパーユニット１６（特許文献１中の符号）に予め貯留されたメダルとメダル投入口５３０（特許文献１中の符号）から投入されホッパーユニット１６（特許文献１中の符号）に貯留されたメダルによって払い出されている。【０００４】  このホッパーユニット１６（特許文献１中の符号）は、メダルを貯留するホッパータンク１８１（特許文献１中の符号）と、該ホッパータンク１８１（特許文献１中の符号）の下部に位置してメダルを一列に整列させて放出するホッパー１８６（特許文献１中の符号）と、該ホッパー１８６（特許文献１中の符号）を回転駆動するモータ１８２（特許文献１中の符号）とが備えられ、支持台１８７（特許文献１中の符号）に固定されている。この支持台１８７は、収容箱３の内部に収納配置されている。このホッパーユニット１６（特許文献１中の符号）に隣設してオーバフロータンク１８（特許文献１中の符号）が配設されている。そして、ホッパータンク１８１（特許文献１中の符号）に設けられたオーバフローレール１８４（特許文献１中の符号）が、オーバフロー接続樋１８５（特許文献１中の符号）を介してオーバフロータンク１８に臨んでいる。【０００５】  そして、払い出すメダルより、投入されるメダルの数が多いとホッパータンク１８１（特許文献１中の符号）に貯留されているメダルが増加し、遂にはホッパータンク１８１（特許文献１中の符号）から溢れる結果となる。この溢れたメダルは、オーバフローレール１８４（特許文献１中の符号）に連通するオーバフロー接続樋１８５（特許文献１中の符号）を介してオーバフロータンク１８（特許文献１中の符号）に貯留される。オーバフロータンク１８（特許文献１中の符号）に貯留されたメダルが一定量に達するとセンサー等で外部に通知し、関係者によりメダルが搬出される。この搬出方法は、島台に設置される自動循環補給装置によって行われる場合もある。この場合は、メダルはオーバフロータンク１８（特許文献１中の符号）の底面に形成された開口を介して搬出される。【０００６】  オーバフロータンク１８（特許文献１中の符号）は、収容箱３（特許文献１中の符号）の右側板６（特許文献１中の符号）の内側であって底部枠板４４（特許文献１中の符号）の上部に載置されている。このオーバフロータンク１８（特許文献１中の符号）は、上面が開放した縦深の直方体状に合成樹脂で成形されており、後壁には、一対のフルセンサ挿入穴１７５ａ、１７５ｂ（特許文献１中の符号）が開設されている。��に、底面には、楕円状の切欠溝１７８（特許文献１中の符号）が貫通形成され、複数箇所で切断部１７９（特許文献１中の符号）で接続されている。また、楕円の長辺の一方に沿って裏面からＶ字状溝１８０（特許文献１中の符号）が形成されて底面の肉厚が薄くなっている。このため、複数の切断部１７９（特許文献１中の符号）を切断してＶ字状溝１８０（特許文献１中の符号）から破断することにより、切欠溝１７８（特許文献１中の符号）によって囲まれる楕円板を取り除くことができ、オーバフロータンク１８（特許文献１中の符号）の底面に楕円形の開口を開設することができる。この開口は、メダル自動循環補給装置が設置島台に付設されている場合に、オーバフロータンク１８（特許文献１中の符号）に貯留されるメダルを設置島台の内部に返却するためのものであり、メダル回収開口２３（特許文献１中の符号）に連通するものである。但し、メダル自動循環補給装置が設置島台に付設されていない場合には、オーバフロータンク１８（特許文献１中の符号）の底面を開設する必要はない。【０００７】
【特許文献１】特開２００１−２１２２８２号公報（段落番号００９４乃至００９８並びに図２２乃至図２５）
【発明の開示】
【発明が解決しようとする課題】
【０００８】  しかしながら、上記のような従来の技術にあっては、メダル自動循環補給装置が設置島台に付設された遊技機にオーバフロータンク１８を用いる場合には、オーバフロータンク１８の底面に必ず開口が必要であり、この開口は、一回開設すると復旧ができない。このため、このオーバフロータンク１８をメダル自動循環補給装置が付設されていない設備に設置された遊技機に用いることはできなかった。即ち、共有して用いることができなかった。更に、付設されたメダル自動循環補給装置が故障した場合には、既設のオーバフロータンク１８にメダルを一時貯留して故障に対応することができず、底面に開口を開設していない別のオーバフロータンク１８と交換して対応する必要があった。【０００９】  本発明は、上記の問題を解決するためになされたものであり、その目的は、払い出し装置からオーバフローした遊技媒体を回収する遊技機用の回収タンクであって、前記回収タンクは、上方に開放された搬入口と、搬出口を形成した底壁を有するタンク本体と、前記搬出口を閉塞するシャッターとを備えることにより、遊技媒体回収装置を付設した設備に配設された遊技機と、付設されていない設備に配設された遊技機の両形式の遊技機に共有することができ、しかも、遊技媒体回収装置が故障した場合には、シャッターで搬出口を閉塞することによって、一時的に遊技媒体を回収タンク内に貯留することができ、遊技機を停止することなく対応することができる遊技機用の回収タンクを提供するものである。
【課題を解決するための手段】
【００１０】  上記課題を解決するため、本発明においては、払い出し装置からオーバフローした遊技媒体を回収する遊技機用の回収タンクであって、前記回収タンクは、上方に開放された搬入口と、搬出口を形成した底壁とを有するタンク本体と、前記搬出口を閉塞するシャッターとを備えたものである。【００１１】  このことにより、遊技媒体回収装置を付設した設備に配設された遊技機に使用する際に、特に回収タンクに加工を施す必要がなく配設することができる。このため、遊技媒体回収装置を付設した設備に配設された回収タンクを、付設されていない設備に配設されている遊技機にも転用でき、回収タンクをいずれの遊技機にも共有することができる。しかも遊技媒体回収装置が故障した場合にも搬出口が形成されていない新たな回収タンクを必要とすることなく対応することができるので、遊技機を停止し、設備の稼働率を低下させることもない。【００１２】  次の発明は、前記シャッターは、一端に軸部を形成するとともに、他端に係合部を設け、前記軸部を搬出口の一方の縁部またはその近傍に回動可能に枢支し、他端を前記搬出口の他方の縁部またはその近傍に係合させたものである。【００１３】  このことにより、シャッターは、枢支部分と先端部分との両端で支持された状態で搬出口を閉塞するため、遊技媒体の落下によって、シャッターが振動したり、開いたり、また、そのことが原因で騒音が発生すること、遊技媒体が回収タンクから飛びだし散乱すること等の不都合が生ずる恐れが少ない。【００１４】  更に、次の発明は、前記シャッターは、前記係合部を前記搬出口の縁部またはその近傍、または前記タンク本体の周壁に係止することによって、前記搬出口を閉塞または開放状態に保持されたものである。【００１５】  このことにより、シャッターは、枢支部分と先端部分との両端で支持された状態で搬出口を閉塞するとともに、開放状態でも枢支部分と先端部分の両端で支持されるため、遊技媒体の落下によって、シャッターが振動したり、開いたり、また、そのことが原因で騒音が発生すること、遊技媒体が飛びだし散乱すること等の不都合が生ずる恐れが少ないばかりか、開放状態では、遊技媒体を確実に搬出口に案内し、遊技媒体回収装置に搬出することができる。【００１６】  更に、次の発明は、前記シャッターは、該シャッターを開放した状態においたときに上面となる表面に複数の離間した突条部を搬出口方向に延設するとともに、前記係合部を前記周壁上部に係合し、前記搬入口から搬出口に至る傾斜面を形成したものである。【００１７】  このことにより、払い出し装置から溢れ出した遊技媒体は、回収タンクに搬出され、シャッターの傾斜面上を低摩擦状態で滑降して、確実に回収タンク内に送り込まれる。【００１８】  更に、次の発明は、前記搬出口を遊技機筐体の底板に形成した遊技媒体の排出口と連通させたものである。【００１９】  このことにより、回収タンクを加工することなく、遊技媒体回収装置を付設した設備に配置された遊技機に転用することができる。【００２０】  更に、次の発明は、前記回収タンクは、上部に係止部を形成した前壁と両側壁と後壁と底壁とを有する長四角形状のタンク本体と、前記底壁の略半分の範囲に形成された長四��形の搬出口と、前記搬出口の前壁側縁部またはその近傍に設けられた軸受と、前記搬出口の後壁側縁部またはその近傍に設けられた係止壁と、一端に軸部を形成するとともに他端に係合部を設けたシャッターとを備え、該シャッターの軸部を前記軸受に回動可能に軸支し、前記係合部を係止部と係止壁のいずれか一方に係合することによって、前記シャッターで搬出口を閉塞あるいは開放状態のいずれかに保持されたものである。【００２１】  このことにより、筐体の隅に効率的に配置することができ、しかも搬出口が底壁の略半分の範囲に形成されているので、回収タンクを前後に入れ替えることによって、回収ホッパーの位置が前方に設定されている遊技媒体回収装置を設置した設備に配置された遊技機にも転用することができる。【００２２】  更に、次の発明は、前記シャッターを開放したときに、前記シャッターの裏面に当接する複数の突条部を前記タンク本体の側壁内側に離間して並設したものである。【００２３】  このことにより、突条部が傾斜して保持されているシャッターを裏面から支持し、払い出し装置から搬出された遊技媒体がシャッター上に落下する際に生ずる衝撃からシャッターが損傷すること、また振動することを防止している。【００２４】  更に、次の発明は、前記底壁の略半分の範囲に形成された長四角形の搬出口を遊技機筐体の底板に形成した遊技媒体の排出口の略半分の範囲で連通させるととも該搬出口をシャッターにより閉塞可能にしたものである。【００２５】  このことにより、遊技機が、膳板に形成されている遊技媒体回収装置との回収口に対して、前後にずれて配設された場合には、回収タンクを取り出し、水平方向に半回転させて再度、挿入することによって搬出口と回収口を合致させることができ、遊技媒体を回収タンクを介して遊技媒体回収装置にスムースに搬出することができるようになる。また、遊技媒体回収装置が故障した場合には、回収タンクのシャッターを閉じて、内部に遊技媒体を貯留しておき、その後、関係者が回収タンクを直接回収して処理することができる。【００２６】  更に、次の発明は、前記回収タンクは、前記タンク本体に形成した搬入口に水平方向位置調整機構を嵌合配設したものである。【００２７】  このことにより、払い出し装置に対して、回収タンクの位置が筐体の前後方向にずれた場合にも、回収タンクの位置をずらせることなく遊技媒体を回収タンクに搬出することができる。
【発明の効果】
【００２８】  以上のように、本発明によれば、払い出し装置からオーバフローした遊技媒体を回収する遊技機用の回収タンクであって、該回収タンクは、上方が開放し、底壁を有するタンク本体と、前記底壁の一部に形成された搬出口と、前記搬出口を閉塞するシャッターとを備えたもので、この回収タンクを遊技媒体回収装置が付設されている設備に配設された遊技機に使用する際に、特に回収タンクに加工を施す必要がなく配設することができる。このように、遊技媒体回収装置を付設した設備に配設された回収タンクをそのまま遊技媒体回収装置が付設されていない設備の遊技機にも転用できる。即ち、一つの回収タンクをいずれの遊技機にも共有することがでる。しかも、遊技媒体回収装置が故障した場合にも搬出口が形成されていない新たな回収タンクと交換する必要もなく対応することができるので、遊技機を停止し、設備の稼働率を低下させることもない。
【発明を実施するための最良の形態】
【００２９】  以下、本発明の好ましい実施形態を、図面に基づいて説明する。図１は、本発明の遊技機における各装置の配置を示した正面図、図２は、本発明の遊技機における主要構成部品の配置を示した側面概略図、図３は、本発明の回収タンクの実施例１を示した斜視図、図４乃至図６は、タンク本体を示した上面、正面、側面図、図７乃至図９は、シャッターを示した正面、上面、側面図、図１０は、遊技機の底板に形成した排出口と遊技媒体回収装置の回収口との位置関係を示した説明図、図１１は、本発明の回収タンクの実施例２を示した正面図である。【００３０】  図１および図２に示すように、本発明の回収タンク５（タンク本体６、シャッター７）を備えた遊技機（例えば、スロットマシン）１００は、筐体１と筐体１の前面開放側に開閉可能に枢支された前面扉２と、筐体１に収納された遊技装置（３１，３２，３３等）と、払い出し装置４とを備えている。【００３１】  筐体１は、底板１１と右側板１２と左側板１３と天板１４と背板１５とによって組立てられ、前面を開放した縦長の長矩形状に形成されている。（以下、天地、上下、左右、前後とは、遊技者側から見た状態を基準とする。）そして、筐体１の背板１５内側上部には、主制御装置１６が取り付けられ、その下方（筐体１の上下方向ほぼ中間）には遊技装置（リール３１，リールボックス３２等）がリールユニット支持枠３３を介して支持されている。また、下側には、払い出し装置４、回収タンク５が収納されている。尚、筐体１を上部筐体と下部筐体に分割或いは各々独立して形成し、その各々に遊技装置（リール３１，リールボックス３２等）と、払い出し装置４、回収タンク５を収納し、遊技機１００として組立てることも可能である。そして、底板１１の右端には遊技機１００を並設した島の中央に備え付けられた遊技媒体回収装置９に遊技媒体１０を搬出するための排出口１１ａが開設されている。【００３２】  図２に示すように筐体１の前面開放側には、前面扉２が開閉可能に枢支されている。この前面扉２は、前面飾り枠２１と、該前面飾り枠２１の下側に設けられたタイトルパネル２２と、その上側に設けられた遊技パネル２３と、上端に配置された表示ランプ２４と、高さ方向の略中間右側に設けられた遊技媒体投入口２５と、下端に設けられた遊技媒体の受皿２６とを備えている。【００３３】  遊技装置は、筐体１の内部に配設され、リール３１と、リールボックス３２と、図示しない操作ボタン、遊技媒体１０の投入ボタン等遊技に必要な装置を備えており、前述のリール３１およびリールボックス３２は、リールユニット支持枠３３を介して背板１５の筐体１内側に取り付けられている。【００３４】  払い出し装置４および回収タンク５は、筐体１の下側略半分のスペースに配設されている。以下、各構成について詳述する。
【実施例１】
【００３５】  払い出し装置４は、貯留タンク４１と、ホッパーユニット４２と、ホッパーユニット４２を駆動するモータ４３とを備え、それらを取付けブラケット４４に組み付け、筐体１の底板１１の略中央に固定された係合レール１１ｂにスライド嵌合している。この貯留タンク４１には、払い出し用の遊技媒体１０や投入された遊技媒体１０が貯留されており、貯留された遊技媒体１０が増加して、貯留タンク４１から溢れた場合には貯留タンク４１に設けられたノズル４５を経て回収タンク５に搬出される。【００３６】  回収タンク５は、図３乃至図９に示すように、タンク本体６と、このタンク本体６に取り付けられたシャッター７とを備え、通常は、タンク本体６の搬入口６６が払い出し装置４に設けられたノズル４５の下側に臨むようにして、筐体１の下部右隅に配設されている。【００３７】  タンク本体６は、前壁６１、後壁６２、左側壁６３および右側壁６４、底壁６５を有する長方形の箱状に形成され、上側開放した遊技媒体１０の搬入口６６と、底壁６５の略半分の範囲に形成された遊技媒体１０の搬出口６７とを備えている。そして、前壁６１の上部には、一対の係止角穴６１ａが形成され、左右側壁６３，６４には嵌合孔６３ｇが並列に形成されている。更に、この左右側壁６３，６４には、底壁６５の部分に至る突条部６９がタンク本体６の長手方向に複数本（本実施例では４本）離間して設けられている。この突条部６９の高さは、後述するシャッター７が開放された状態で当接するように搬出口６７方向に近づくに従って低くなるように形成されている。【００３８】  この搬出口６７は、前縁６７ａ、左側縁６７ｂと右側縁６７ｃ、後縁６７ｄを有した長四角形枠状に開設され、左右の側縁６７ｂ，６７ｃの前縁６７ａ側には、軸受孔６７ｅが穿設されている。【００３９】  また、底壁６５には、搬出口６７の後縁６７ｄと後壁６２との間に嵌合軸受部６８が形成されている。この嵌合軸受部６８は、後壁６２の両隅に三角形状に凸設した支持壁６８ａと中央部に凸設した三角状のブロック壁６８ｂとを備えている。そして、支持壁６８ａとブロック壁６８ｂとの間には、嵌合凹部６８ｃが形成され、各々対向する立ち壁６８ｄには、軸受孔６８ｅが穿設されている。【００４０】  シャッター７は、搬出口６７を閉塞する平板上のプレート７１と、前縁の両側端部（搬出口６７を閉塞した状態でタンク本体６の前壁６１側）に側方に突出した枢支軸７５を有する弾性片７３が形成されている。この弾性片７３は、近接して形成された切り欠き７４によって撓むように構成されている。一方、反対側の後縁には、両側端に形成された切り欠き角部７８と中央に形成された凹部７７との間に突設された一対の嵌合片７２が形成されている。この嵌合片７２の先端外側には、係合凸起７６が突設されている。そして、搬出口６７を閉塞した状態におけるプレート７１の下側表面（すなわち、シャッター７を開放した状態においたときに上面側となる表面）に短手方向に離間した複数の突条部７９が前縁から後縁方向に向かって延設されている。【００４１】  前述のシャッター７は、タンク本体６に形成された搬出口６７の両側縁６７ｂ，６７ｃに穿設された軸受孔６７ｅに枢支軸７５を嵌合するこ���によって、タンク本体６に回動可能に軸支される。即ち、シャッター７が搬出口６７を閉塞した状態では、シャッター７の係合凸起７６がタンク本体６の底壁６５に形成された嵌合軸受部６８に穿設された、軸受孔６８ｅに係合する。反対に、搬出口６７を開放した状態では、嵌合片７２をタンク本体６の前壁６１上部に形成された係止角穴６１ａに嵌合し、係合凸起７６で該係止角穴６１ａに係止される。従って、搬出口６７を開放した状態で、シャッター７は、前壁６１から搬出口６７に至る傾斜面を形成する。この傾斜面には、複数の突条部７９が露呈している。そして、この傾斜面の裏面には、左右側壁６３，６４に形成された突条部６９が当接している。遊技媒体１０は、この突条部７９の上を低摩擦で滑降し、搬出口６７から遊技媒体回収装置９方向に搬出される。【００４２】  本実施例では、回収タンク５が遊技媒体回収装置９を付設した設備に配設されている遊技機１００に用いた場合を示している。この例では、通常、シャッター７は、図３に示すように、搬出口６７を開放した状態に設定されていて、遊技媒体回収装置９に不都合が生じ、遊技媒体１０が搬出できない事態が生じた場合に、搬出口６７を閉塞し、回収タンク５の内部に遊技媒体１０を貯留する。この貯留された遊技媒体１０は、関係者が処理する。【００４３】  この回収タンク５は、遊技媒体回収装置９を備えていない遊技設備では、シャッター７を閉じた状態で回収タンク５として単独で使用することもできる。この時には、前壁６１に形成した係止角穴６１ａには、シャッター７が係止されていないので、この係止角穴６１ａに筐体１側に配設された満杯センサーを挿入し、回収タンク５に貯留された遊技媒体１０の貯留状態を監視することができる。また、図示しないが後壁６２側にこの係止角穴６１ａを形成することにより、同様の機能を得ることができる。この場合には、遊技媒体回収装置９を備えた遊技機にも採用でき、遊技媒体回収装置９等に不都合が生じ、本来貯留されることのない回収タンク５に遊技媒体１０が貯留されるとその状態をセンサーがキャッチし、関係者に注意を喚起する。【００４４】  ここで、実施例１に示した遊技媒体回収装置９を付設した設備に配設されている遊技機１００を用いて、筐体１の底板１１に形成された排出口１１ａと、筐体１を載置する膳板９３に形成した回収口９２と、遊技媒体回収装置９に遊技媒体１０を搬出するための回収シュート９１の間口９１ａとの関係を図１０で説明する。【００４５】  一般的に遊技媒体回収装置９は、遊技機１００を並列させて形成した島の中央部を貫いて配設されている。そして、遊技媒体回収装置９と遊技機１００との間は、回収シュート９１によって連絡されている。この回収シュート９１の間口９１ａは、島の長手方向（遊技機１００が並設されている方向）に長い四角形状に形成され、その間口９１ａに対応して形成された膳板９３の回収口９２も、この回収シュート９１の間口同様に島の長手方向に長い楕円形に形成されている。これは、遊技機１００の入れ替えの際等に遊技機１００が並設方向に多少ずれても（機種により幅が若干異なる場合がある）遊技機１００から遊技媒体回収装置９に遊技媒体１０が搬出できるようにするた��である。【００４６】  ところが、回収タンク５は、筐体１に収容された他の装置との関係、或いは、回収タンク５の取り扱い（出し入れ）の関係から筐体１の右隅に短手（前後）方向に沿うように配設されている。このため、回収タンク５は、遊技機１００に対して前後方向に長方形状に形成されている。従って、筐体１の底板１１に形成された排出口１１ａも、回収タンク５に合せて遊技機１００に対して前後方向に長方形状に形成されている。【００４７】  そして、回収タンク５は、筐体１の底板１１上に底壁６５の略半分割した範囲に形成された搬出口６７が、底板１１に形成された排出口１１ａの背板１５側の略半分の部分の位置に重なるようにして配設される。従って、底板１１に形成された排出口１１ａの残りの略半分は、回収タンク５の底壁６５で覆われている。即ち、常時回収タンク５に形成された搬出口６７と膳板９３の回収口９２とは、排出口１１ａの略半分の範囲で連通している。【００４８】  このため、遊技機１００や島の配置の変更に伴って、遊技機１００の位置や遊技媒体回収装置９の位置が前方に移動した場合、当然、膳板９３に形成した回収口９２も前方に移動し、回収口９２がタンク本体６の底壁６５の盲部分に入り込み、回収口９２と排出口６７が連通しない状態になる。このような事態が生じた場合には、タンク本体６を引き出し、前後を逆にして再度筐体１の内部に配設すれば、排出口６７と回収口９２とが連通する。
【実施例２】
【００４９】  次に、払い出し装置４に対する水平方向の位置を調整する水平方向位置調整機構８５を回収タンク５に設けた実施例について説明する。【００５０】  図１１において、水平方向位置調整機構８５は、略箱舟形状に形成され、下部に嵌合枠８６を形成するとともに、上部に嵌合枠８６より広い間口を有する周壁８７を設けている。そして、嵌合枠８６をタンク本体６の搬入口６５に嵌合することによって、タンク本体６上に載置される。この周壁８７には、嵌合枠８６に対して、前方側と左側（図示しない）に張り出した前方受け部８８と側方受け部（図示しない）を形成し、該前方受け部８８と側方受け部（図示しない）と嵌合枠８６の間を傾斜面で接続して拡張部分を形成している。この前方受け部８８と側方受け部（図示しない）とによって、タンク本体６の搬入口６５から外れた位置に搬出される遊技媒体１０をタンク本体６内に搬入する。言い換えれば、その範囲内で、タンク本体６の移動が可能となり水平方向の位置調整が可能となる。【００５１】  嵌合枠８６には、両側壁の中央部分に、シャッター７が回動したときにシャッター７が干渉しないように形成した凹部８６ａと、両端（前方、後方側）に切り欠き８６ｂを介して形成された弾性係合片８６ｃが設けられている。また、嵌合枠８６の周囲には係止片８６ｄが突設されている。（本実施態様では、両側に各々３個所、両端に各々２箇所の都合１０箇所設けられている。）【００５２】  上記のように構成された水平方向位置調整機構８５は、嵌合枠８６をタンク本体６の搬入口６６と嵌合し、係止片８６ｄをタンク本体６の上縁に当接させ、嵌合枠８６に形成した弾性係合片８６ｃをタンク本体６の左右側壁６３，６４に形成された嵌合孔６３ｇに係止させることによって取り付けられる。【００５３】  水平方向位置調整機構８５をタンク本体６の搬入口６６に嵌合した状態では、当然のことながら水平方向位置調整機構８５の周壁８７の前方側と左側に張り出した部分が水平方向の位置調整範囲となる。したがって、この範囲で払い出し装置４のノズル４５に対してタンク本体６を水平方向に移動させ、最適位置に回収タンク５を配設することができる。【００５４】  この水平方向位置調整機構８５をタンク本体６の上縁に取り付けることによって、回収タンク５が払い出し装置４に対して前後方向にずれた状態にも対応することができるようになる。
【図面の簡単な説明】
【００５５】
【図１】本発明の回収タンクを備えた遊技機における各装置の配置を示した正面図である。
【図２】本発明の回収タンクを備えた遊技機における主要構成部品の配置を示した側面概略図である。
【図３】本発明の回収タンクを示した斜視図である。
【図４】本発明の回収タンクのタンク本体を示した上面図である。
【図５】本発明の回収タンクのタンク本体を示した正面図である。
【図６】本発明の回収タンクのタンク本体を示した左側面図である。
【図７】本発明の回収タンクのシャッターを示した正面図である。
【図８】本発明の回収タンクのシャッターを示した上面図である。
【図９】本発明の回収タンクのシャッターを示した側面図である。
【図１０】本発明の遊技機の底板に形成した排出口と遊技媒体回収装置の回収口との位置関係を示した説明図である。
【図１１】本発明の回収タンクの実施例２を示した正面図である。
【符号の説明】
【００５６】１００…遊技機
１…筐体
２…前面扉
４…払い出し装置
４１…貯留タンク
４２…ホッパーユニット
４５…ノズル
５…回収タンク
６…タンク本体
６６…搬入口
６７…搬出口
６８…嵌合軸受部
６９…突条部
７…シャッター
７１…プレート
７２…嵌合片
７３…弾性片
７５…枢支軸
７９…突条部
９…遊技媒体回収装置
９１…回収シュート
９２…回収口
【手続補正３】
【補正対象書類名】図面
【補正対象項目名】全図
【補正方法】変更
【補正の内容】
【図１】
2005040572.tif 000016
【図２】
2005040572.tif 000017
【図３】
2005040572.tif 000018
【図４】
2005040572.tif 000019
【図５】
2005040572.tif 000020
【図６】
2005040572.tif 000021
【図７】
2005040572.tif 000022
【図８】
2005040572.tif 000023
【図９】
2005040572.tif 000024
【図１０】
2005040572.tif 000025
【図１１】
2005040572.tif 000026